(57)【要約】      （修正有）【課題】ワイヤハーネスに寿司巻きする樹脂シートを改良する。【解決手段】ワイヤハーネスの外周面に寿司巻き状に巻き付けてワイヤハーネスの電線群を結束保護する可撓性を有する樹脂シート１であり、厚さ０．４〜１．０ｍｍで、幅方向寸法が一定であると共に該幅方向が円弧状に湾曲されており、該幅方向と直交する長さ方向が連続して巻芯８に巻き付けられたコイル１０とされ、該コイル１０よりワイヤハーネスの巻き付け長さに対応する寸法長さが引き出されて分離され、かつ、一面の少なくとも幅方向の一端に粘着剤塗布部を備えている。【選択図】図１
2017093019.tif 000002
【特許請求の範囲】
【請求項１】
ワイヤハーネスの外周面に寿司巻き状に巻き付けてワイヤハーネスの電線群を結束保護する可撓性を有する樹脂シートであり、
厚さ０．４〜１．０ｍｍで、幅方向寸法が一定であると共に該幅方向が円弧状に湾曲されており、該幅方向と直交する長さ方向が連続して巻芯に巻き付けられてコイルとされ、該コイルよりワイヤハーネスの巻き付け長さに対応する寸法で引き出されて分離され、かつ、一面の少なくとも幅方向の一端側に粘着剤塗布部を備えていることを特徴とするワイヤハーネス用の樹脂シート。
【請求項２】
前記粘着剤塗布部を幅方向の両端に備え、かつ、
該樹脂シートの幅方向の一端または両端に長さ方向に間隔をあけてＶ字状またはスリット状の切断用切れ目を備えている請求項１に記載のワイヤハーネス用の樹脂シート。
【請求項３】
請求項１または請求項２に記載の樹脂シートで電線群を寿司巻きしているワイヤハーネス。
【請求項４】
請求項１または請求項２に記載のワイヤハーネス用の樹脂シートの製造方法であって、  幅方向を湾曲させた樹脂シートを連続的に取得し、
前記樹脂シートの幅方向の端部に切断用切れ目を切断機で形成し、
前記切断用切れ目を設けた後に、幅方向の端部に粘着剤を塗布し、
その後、前記巻芯に前記樹脂シートを巻き付けてコイルとしているワイヤハーネス用の樹脂シートの製造方法。
【請求項５】
前記幅方向に円弧状に湾曲する樹脂シートは、連続押出成形機で成形される樹脂チューブに軸線方向に沿ってスリットを入れて形成し、
あるいは  連続押出成形機で前記幅方向に円弧状に湾曲する樹脂シートを形成している請求項４に記載のワイヤハーネス用の樹脂シートの製造方法。
【発明の詳細な説明】
【技術分野】
【０００１】
本発明はワイヤハーネス用の樹脂シートおよび該樹脂シートの製造方法に関し、詳しくは、車両に配索するワイヤハーネスに巻き付けて電線群の結束および保護、さらに経路規制を図ることができる樹脂シートに関し、特に、所要長さの樹脂シートを簡単に得られるようにするものである。
【背景技術】
【０００２】
従来、自動車等の車両に配索するワイヤハーネスの電線群を結束するものとして、コイル巻きした粘着樹脂テープを該コイルから巻き出して電線群に螺旋巻きしている場合が多い。結束する電線群を外部干渉材から保護する必要がある領域や経路規制する必要がある領域では、巻き付ける樹脂テープの間に隙間が発生しないようにハーフラップ巻きする場合が多いが、ハーフラップ巻きは作業員の熟練度により品質にバラツキが発生し、かつ、巻き付けた樹脂テープの間に隙間が発生する恐れもある。
【０００３】
隙間があると外部干渉材が隙間よりワイヤハーネスに当たってワイヤハーネスに損傷を与える恐れがある。よって、特開平７−１０５７５６号公報に開示しているように、ワイヤハーネスを構成する複数の電線を樹脂シートからなるシートで寿司巻き状に巻き付け、その後、巻き付け姿勢を保持するために樹脂テープを螺旋巻きしている場合が多い。また、樹脂シートに代えて、樹脂チューブにワイヤハーネスの電線群を挿通する場合もある。
【０００４】
樹脂チューブを用いると、長さ方向の一端から他端へとワイヤハーネスを貫通させる必要があり、ワイヤハーネスの先端にコネクタを取り付けた状態では樹脂チューブ内に貫通できない。よって、ワイヤハーネスの電線群を樹脂チューブに先通しした後に、樹脂チューブの先端から引き出した電線群にコネクタを接続する必要があり、作業手数がかかる問題がある。
樹脂チューブに代えて樹脂シートを用いると、ワイヤハーネスの端末にコネクタを接続した状態で樹脂シートをワイヤハーネスに巻き付けることができる利点がある。
【先行技術文献】
【特許文献】
【０００５】
【特許文献１】特開平７−１０５７５６号公報
【発明の概要】
【発明が解決しようとする課題】
【０００６】
ワイヤハーネスに巻き付ける樹脂シートは、通常、ワイヤハーネスに巻き付けるに必要な長さの定尺部品として製造保管されており、ワイヤハーネスに巻き付ける樹脂シートの長さが相違すると別部品となる。よって、部品点数が増加し、部品管理、部品段取りに手数がかかると共に、類似部品が多いため取り付け間違いが発生しやすい。
【０００７】
さらに、ワイヤハーネス用の樹脂シートは保護機能を高めるため、厚さを０．０５〜１．０ｍｍと比較的厚くしているため、断面略円形のワイヤハーネスの外周に添わせにくく、ワイヤハーネスの外周面と樹脂シートの間に隙間が発生し、該隙間により外部干渉材がワイヤハーネスに当たる恐れもある。
【０００８】
本発明は前記問題に鑑みてなされたものであり、ワイヤハーネスへの巻き付けに必要な長さに応じた別部品として樹脂シートを設ける必要がなく、簡単に所要長さの樹脂シートを得ることができ、かつ、ワイヤハーネスへの巻付時にワイヤハーネスの外周面に添わせやすく、使い勝手がよいワイヤハーネス用の樹脂シートを提供することを課題としている。
【課題を解決するための手段】
【０００９】
前記課題を解決するため、本発明は、ワイヤハーネスの外周面に寿司巻き状に巻き付けてワイヤハーネスの電線群を結束保護する可撓性を有する樹脂シートであり、
厚さ０．４〜１．０ｍｍで、幅方向寸法が一定であると共に該幅方向が円弧状に湾曲されており、該幅方向と直交する長さ方向が連続して巻芯に巻き付けられてコイルとされ、該コイルよりワイヤハーネスの巻き付け長さに対応する寸法で引き出されて分離され、かつ、一面の少なくとも幅方向の一端側に粘着剤塗布部を備えていることを特徴とするワイヤハーネス用の樹脂シートを提供している。
【００１０】
前記粘着剤塗布部は幅方向の両端に備え、かつ、
該樹脂シートの幅方向の一端または両端に長さ方向に間隔をあけてけＶ字状またはスリット状の切断用切れ目を備えていることが好ましい。
【００１１】
前記のように、本発明では、巻芯（所謂、紙巻管）に巻き付けてコイルとしている従来の樹脂テープと同様に、樹脂シートをコイルとして巻回した連続部品とし、該コイルから必要長さ分だけ引き出して切断して所要長さに出来るものとし、樹脂シートの部品点数を大幅に削減している。
即ち、従来のワイヤハーネスに寿司巻きする樹脂シートは、巻付長さに対応する定尺部品とされ、長さが相違すると別部品として管理されているため、部品点数が増大している。これに対して、本発明の樹脂シートは定尺部品とせず、連続したコイルとし、コイルより必要長さ分を引き出して切断して用いるものとしているため、樹脂シートを１つのコイルからなる１部品にできる。その結果、従来と比較して、部品点数を大幅に削減でき、部品管理を容易にすると共に部品の取り間違いを防ぎ、使い勝手を良くすることができる。
【００１２】
また、本発明の樹脂シートは幅方向を円弧状としており、従来の幅方向および長さ方向とも平面状の樹脂シートと相違する。
複数の電線群を集束して断面略円形とするワイヤハーネスの外周に樹脂シートを寿司巻き状に巻き付ける際、平面状の樹脂シートをワイヤハーネスの外周に巻き付けても電線群の外周に添わせにくく、かつ、電線群への巻き付け姿勢の保持力がない。よって、樹脂シートの内面の粘着剤を電線群の外周面にしっかりと粘着するまでに巻き戻し状態になりやすく、巻付作業性が悪い問題がある。
これに対して、本発明では、コイルから必要長さだけ引き出して取得する樹脂シートは寿司巻きする際に円弧状とする幅方向が予め円弧状にクセ付けされているため、ワイヤハーネスの電線群の外周面に添わせやすく、かつ、寿司巻き状態に保持されやすい。よって、樹脂シートの幅方向の一端内面の粘着剤でワイヤハーネスの電線群に樹脂シートを粘着する作業、および幅方向の他端内面の粘着剤で先巻きの外面に樹脂シートを粘着する作業を容易かつ確実に行うことができ、樹脂シートの巻付作業性を高めることができる。
【００１３】
また、前記のように、樹脂シートの幅方向の一端または両端に長さ方向に間隔をあけてＶ字状またはスリット状の切断用切れ目を設けておくことが好ましい。
このように、切断用切れ目を設けておくと、作業員が樹脂シートを所要長さに切断する際に前記切断用切れ目を分離始点として容易に切断することができる。
【００１４】
本発明の樹脂シートは、塩化ビニル樹脂製とし、該樹脂シートの内面の幅方向両端に設ける前記切断用切れ目の部分に前記粘着剤塗布部を設け、該粘着剤塗布部に予め剥離紙を張り付けておき、ワイヤハーネスの電線群に寿司巻きする際に巻き付け状態で前記剥離紙を剥離することが好ましい。
【００１５】
第２の発明として、前記樹脂シートで電線群を寿司巻きしているワイヤハーネスを提供している。
【００１６】
第３の発明として、前記ワイヤハーネス用の樹脂シートの製造方法を提供している。即ち、幅方向を湾曲させた樹脂シートを連続的に取得し、
前記樹脂シートの幅方向の端部に切断用切れ目を切断機で形成し、
前記切断用切れ目を設けた後に、幅方向の端部に粘着剤を塗布し、
その後、前記巻芯に前記樹脂シートを巻き付けてコイルとしているワイヤハーネス用の樹脂シートの製造方法を提供している。
【００１７】
前記幅方向に円弧状に湾曲する樹脂シートは、連続押出成形機で成形される樹脂チューブに軸線方向に沿ってスリットを入れて形成し、
あるいは  連続押出成形機で前記幅方向に円弧状に湾曲する樹脂シートを形成している。
前記のように、樹脂チューブを軸線方向で切断して湾曲して樹脂シートとすると、ワイヤハーネスの電線群の外周面に巻き付けられる円環状に確実にクセ付けすることができ、電線群への巻き付け作業性を更に高めることができる。
【発明の効果】
【００１８】
前記本発明に係わるワイヤハーネス用の樹脂シートは、巻芯に巻き付けてコイルとしているため、汎用されている樹脂テープと同様に、コイルから必要長さ分だけ引き出して用いることができ、従来定尺部品とされている樹脂シートを多数設けておく必要は無く、部品点数を大幅に削減でき、部品管理を容易にすると共に部品の取り間違いを防ぎ、使い勝手を良くすることができる。
かつ、コイルから引き出す樹脂シートは幅方向を円弧状としているため、断面略円形とするワイヤハーネスの外周に樹脂シートを寿司巻き状に巻き付ける際、平面状の樹脂シートを巻き付ける場合と比較して、電線群の外周に添わせやすく、寿司巻き状態に保持されやすい。よって、樹脂シートの幅方向の一端内面の粘着剤でワイヤハーネスの電線群に樹脂シートを粘着する作業、および幅方向の他端内面の粘着剤で先巻きの外面に樹脂シートを粘着する作業を容易かつ確実に行うことができ、樹脂シートの巻付作業性を高めることができる。
【００１９】
前記本発明に係わるワイヤハーネスの樹脂シートの製造方法によれば、幅方向が湾曲した樹脂シートを簡単に製造することができる。
【図面の簡単な説明】
【００２０】
【図１】本発明の実施形態の樹脂シートを巻き付けたコイルを示し、（Ａ）はコイルの斜視図、（Ｂ）はコイルから樹脂シートを引き出している状態の側面図、（Ｃ）は（Ｂ）のＣ−Ｃ線断面図である。
【図２】（Ａ）はコイルから引き出した樹脂シートの拡大斜視図、（Ｂ）は（Ａ）の樹脂シートを平板状に拡げた状態の底面図である。
【図３】コイルの巻芯の断面図である。
【図４】前記樹脂シートをワイヤハーネスの電線群に寿司巻きした状態の斜視図である。
【図５】（Ａ）（Ｂ）（Ｃ）は樹脂シートをワイヤハーネスの電線群に寿司巻きする手順を示す図面である。
【図６】（Ａ）〜（Ｄ）は前記樹脂シートを巻き付けたコイルの製造工程を示す図面である。
【図７】（Ａ）〜（Ｄ）は変形例を示す図面である。
【発明を実施するための形態】
【００２１】
以下、本発明のワイヤハーネス用の樹脂シートの実施形態を図面を参照して説明する。  図１乃至図６に示す実施形態の樹脂シート１は、図４および図５に示すように、ワイヤハーネス２０を構成する複数本の電線２１を断面円形に集束した状態で、その外周面に寿司巻き状に巻き付けて粘着して、ワイヤハーネス２０の電線２１を結束保護および経路規制する樹脂シートである。
【００２２】
樹脂シート１は塩化ビニル製で、厚さｔが０．４〜１．０ｍｍ（本実施形態では厚さは０．４ｍｍ）で、可撓性を有するものである。
幅方向Ｙの寸法が一定であると共に、該幅方向の中央部１ａが外方に突出する円弧状に湾曲されている。該幅方向Ｙの寸法は、樹脂シート１を巻き付けるワイヤハーネス２０の外周長さより長くして、先巻き部分の外周面に後巻き部分の内周面が重なるラップ代を有する長さとしている。幅方向と直交する長さ方向Ｘは連続し、巻芯８に巻き付けてコイル１０とされている。
【００２３】
なお、樹脂シート１の厚さおよび強度を高めるために、１周以上複数周巻き付けることが好ましい場合もあるため、樹脂シート１の幅方向Ｙの寸法を共用化できるワイヤハーネスの樹脂シートの巻付箇所は多い。即ち、樹脂シート１の長さ方向Ｘの寸法はワイヤハーネス２０の集束保護および経路規制のために所定長さにする必要があるが、樹脂シート１の幅方向Ｙの寸法はワイヤハーネス２０に樹脂シート１を１周以上寿司巻きできればよく、それ以上の巻き付けは許容できるため、幅方向寸法は共用化できる。
【００２４】
樹脂シート１を図３に示す巻芯８に連続的に巻き付けてコイル１０としている。巻芯８は円環形状で、幅方向Ｙの両側から中央８ａに向かって外方へ円弧状に突出した形状としている。該巻芯８の円弧は前記樹脂シート１の幅方向Ｙと同様な円弧とし、樹脂シート１を巻芯８に巻き付けることにより、幅方向を円弧形状にクセつけている。
【００２５】
また、図２に示すように、樹脂シート１のコイル巻付状態で内周面となる一面１Ｓの幅方向Ｙの両端内面に沿って所要幅の粘着剤塗布部３Ａ、３Ｂを設けている。なお、樹脂シート１の一面１Ｓの全面に粘着剤を塗布していないのは、ワイヤハーネスの外周面への巻き付け状態でシワが発生する等でやり直しをする際に、全面に塗布した粘着剤をワイヤハーネスの電線群に粘着すると、やり直しが容易に行えなくなるためである。
【００２６】
さらに、樹脂シート１の幅方向両側の粘着剤塗布部３Ａ、３Ｂを設けた部分に長さ方向Ｘに間隔をあけてＶ字状の溝からなる切断用切れ目４Ａ、４Ｂを設けている。この切断用切れ目４Ａ、４Ｂを設けることにより、作業員でも容易に手で引き裂いて切ることができる。なお、切断用切れ目としてＶ字状の溝を設ける変わりに、細溝となる短いスリットを設けてもよい。
【００２７】
前記のように、本発明の樹脂シート１は、汎用されている樹脂テープと同様なコイル１０とし、ワイヤハーネス２０の複数の電線を集束して寿司巻きする際に、コイル１０より巻き付け長さに必要な長さだけ巻き出して引き出し、切断用切れ目４Ａ、４Ｂを支点として切断して用いている。
【００２８】
樹脂シート１でワイヤハーネスの電線群を外装保護する作業は、コイル１０から樹脂シート１を引き出して所要長さで切断し、巻付用の一定長さの樹脂シート１−１とした後、図５（Ａ）に示すように、樹脂シート１の一面１Ｓをワイヤハーネス２０の電線２１の外周面に接触させる内面として、図５（Ｂ）に示すように、幅方向Ｙの一端の粘着剤塗布部３Ａをワイヤハーネスの電線２１の外面に押し付けて粘着して、樹脂シート１−１をワイヤハーネス２０に寿司巻きする。この寿司巻きする樹脂シート１−１の幅方向Ｙの他端を先巻した一端側の外周面にラップさせ、図５（Ｃ）に示すように、粘着剤塗布部３Ｂを押し付けて粘着する。
【００２９】
前記のように、本発明の樹脂シート１は、巻芯８に巻き付けたコイル１０としているため、従来汎用されているコイル巻きされた樹脂テープと同様に、必要長さに応じてコイルから引き出して切断し所要長さにできる。よって、巻き付け長さに応じた定尺の樹脂シートを設ける必要がなく、部品点数を大幅に削減でき、部品管理を容易にすると共に部品の取り間違いを防ぎ、使い勝手を良くすることができる。
【００３０】
また、本発明の樹脂シート１は幅方向Ｙを円弧状としているため、複数の電線２１を集束して断面略円形とするワイヤハーネス２０の外周に所要長さに切断した樹脂シート１−１を寿司巻き状に巻き付ける際、予め円弧状にクセ付けされているため、ワイヤハーネスの電線群の外周面に添わせやすく、かつ、寿司巻き状態に保持されやすい。よって、樹脂シート１−１のワイヤハーネスへの寿司巻き作業性および、幅方向の両端の粘着剤塗布部３Ａ、３Ｂでの粘着作業性を高めることができる。
【００３１】
前記樹脂シート１の製造方法を図６を参照して、以下に説明する。
図６（Ａ）に示すように、円環形状の樹脂チューブ３０を連続押し出し成形する。
次に、図６（Ｂ）に示すように、連続的に押し出された樹脂チューブ３０を切断機で軸線方向に１本のスリット３１を入れて分断し、スリット３１を始点として拡げて樹脂シート１の素材とする。
次に、図６（Ｃ）に示すように、スリット３１で分断された両端を幅方向Ｙの両端として略平面状に拡げた状態を保持しながら長さ方向Ｘに連続搬送し、幅方向の両端に切断機で切断用切れ目４Ａ、４Ｂを入れる。  
次に、図６（Ｄ）に示すように、幅方向の両端部に粘着剤塗布機で一定幅で粘着剤を塗布して粘着剤塗布部３Ａ、３Ｂを設ける。
最後に、樹脂シートを平面状に拡げて保持した状態を解除して、幅方向Ｙが円弧状に湾曲した状態に戻し、巻芯に連続的に巻き付けて、図１に示すコイル１０とする。
【００３２】
前記製造方法によると、幅方向に円弧状に湾曲すると共に長さ方向に連続する樹脂シート１を簡単に得ることができ、かつ、該樹脂シート１を湾曲した巻芯８に巻き付けてコイルとすることにより、円弧状にクセ付けされた樹脂シート１のコイル１０を設けることができる。
【００３３】
コイル１０の巻芯８の円弧角度を変えることにより、樹脂シート１の幅方向の円弧角度を変えたコイル１０を簡単に得ることができる。
【００３４】
本発明のコイルとされた樹脂シートは、前記図６（Ａ）（Ｂ）の樹脂チューブにスリットを入れてシートとする代わりに、幅方向に所要の曲率で湾曲した樹脂シートを連続押し出し成形で設けてもよい。円弧状に連続押出成形する樹脂シートは前記図６（Ｃ）以降と同様な手順でコイルとしてもよい。
【００３５】
本発明は前記実施形態に限定されず、図７（Ａ）に示すように樹脂シートの一面の幅方向の一端に粘着剤塗布部３を設け、該粘着剤塗布部を巻き付け終端に位置させて、ワイヤハーネスへの寿司巻き状態を保持するようにしてもよい。
また、図７（Ｂ）に示すように、樹脂シートの一面全面に粘着剤塗布部３を設けてもよい。
さらに、図７（Ｃ）に示すように、細幅の両面粘着テープ１３を樹脂シート１の幅方向の両側に粘着しておいても良い。
さらにまた、図７（Ｄ）に示すように、樹脂シートの幅方向の一端側にのみ切断用切れ目となるスリット４Ｓを長さ方向に間隔をあけて設けてもよい。
【符号の説明】
【００３６】
１  樹脂シート
３Ａ、３Ｂ  粘着剤塗布部
４Ａ、４Ｂ  切断用切れ目
８  巻芯
１０  コイル
２０  ワイヤハーネス
２１  電線
【図１】
2017093019.tif 000003
【図２】
2017093019.tif 000004
【図３】
2017093019.tif 000005
【図４】
2017093019.tif 000006
【図５】
2017093019.tif 000007
【図６】
2017093019.tif 000008
【図７】
2017093019.tif 000009